(57)【要約】【課題】閉じ検知専用の部品や機器本体にタッチパネルに接触する突起形状を設けることなく、かつ電子機器の誤動作の恐れもなく、バリアングルユニットが閉じられたことの検知を正しく行うことと、タッチパネルのタッチ検出がユーザーのタッチ操作によるものか否かの判別を正しく行うことを両立すること。【解決手段】本体と、筐体と、ヒンジ機構と、画像表示部と、静電容量式のタッチパネルと、第１／第２の制御部と、演算部と、を有する電子機器において、タッチパネルの検出静電容量Ｃが第１の閾値と第２の閾値の間であって、検出面積が第３の閾値Ｓより大きい場合、画像表示部の表示を消灯させることを特徴とする。【選択図】図７
2019075636.tif 000002
【特許請求の範囲】
【請求項１】
少なくとも、機器本体（２）と、
筐体（３）と、
前記機器本体（２）に対して前記筐体（３）を開閉可能に支持するヒンジ機構（４）と、
前記筐体（３）に設けられた画像表示部（５）と、
該画像表示部（５）に重畳して設けられた静電容量式のタッチパネル（６）と、
前記画像表示部（５）を制御する第１の制御部（１５）と、
前記タッチパネル（６）を制御する第２の制御部（１６）と、
前記第１の制御部（１５）と前記第２の制御部（１６）とが接続され、電子機器（１）の動作を制御する演算部（１１）と、
を有し、
前記機器本体（２）に対して前記筐体（３）を閉状態とした際に、前記機器本体（２）の前記筐体（３）との対向面（８ａ）は導電性の材料により形成され、
前記演算部（１１）または前記第２の制御部（１６）は、前記タッチパネル（６）が検出した静電容量Ｃに関して、第１の閾値Ｃ１と該第１の閾値Ｃ１より小さい第２の閾値Ｃ２と、該第１の閾値および第２の閾値Ｃ２の静電容量を検出した面積Ｓ１およびＳ２についての第３の閾値Ｓと、
を有し、
検知静電容量Ｃが前記第１の閾値Ｃ１より大きく、検知面積Ｓ１が前記第３の閾値Ｓより小さい場合、前記演算部（１１）は、検出されたタッチに応じた動作を行わせ、
検知静電容量Ｃが前記第１の閾値Ｃ１と前記第２の閾値Ｃ２の間であって、検知面積Ｓ２が前記第３の閾値Ｓより大きい場合、前記演算部（１１）は、前記第１の制御部（１５）に、前記画像表示部（５）の表示を消灯させることを特徴とする電子機器（１）。
【請求項２】
検知静電容量Ｃが前記第１の閾値Ｃ１と前記第２の閾値Ｃ２の間であって、検知面積Ｓ２が前記第３の閾値Ｓより大きい場合、前記演算部（１１）は、前記第２の制御部（１６）に、前記タッチパネル（６）の検出動作を停止させる、または間欠動作させることを特徴とする請求項１に記載の電子機器（１）。
【請求項３】
検知静電容量Ｃが前記第１の閾値Ｃ１より大きく、検知面積Ｓ１が前記第３の閾値Ｓより大きい場合、前記演算部（１１）は、前記第１の制御部（１５）に、前記画像表示部（５）の表示を消灯させることを特徴とする請求項１又は請求項２に記載の電子機器（１）。
【請求項４】
検知静電容量Ｃが前記第１の閾値Ｃ１より大きく、検知面積Ｓ１が前記第３の閾値Ｓより大きい場合、前記演算部（１１）は、前記第２の制御部（１６）に、前記タッチパネル（６）の検出動作を停止させる、または間欠動作させることを特徴とする請求項３に記載の電子機器（１）。
【請求項５】
検知静電容量Ｃが前記第１の閾値Ｃ１と前記第２の閾値Ｃ２の間であって、検知面積Ｓ２が前記第３の閾値Ｓより小さい場合、前記演算部（１１）は、前記タッチパネル（６）によるタッチ検出結果を無視することを特徴とする請求項１乃至請求項４の何れか一項に記載の電子機器（１）。
【請求項６】
少なくとも、機器本体（２）と、
筐体（３）と、
前記機器本体（２）に対して前記筐体（３）を開閉可能に支持するヒンジ機構（４）と、
前記筐体（３）に設けられた画像表示部（５）と、
該画像表示部（５）に重畳して設けられた静電容量式のタッチパネル（６）と、
前記画像表示部（５）を制御する第１の制御部（１５）と、
前記タッチパネル（６）を制御する第２の制御部（１６）と、
前記第１の制御部（１５）と前記第２の制御部（１６）とが接続され、電子機器（１）の動作を制御する演算部（１１）と、
を有し、
さらに、前記ヒンジ機構（４）は、
前記機器本体（２）に対して前記筐体（３）が、閉じた状態から少なくとも９０°開いた状態まで開閉可能とする回転軸（Ａ）と、
前記機器本体（２）に対して前記筐体（３）が閉じた状態にあるときに、前記画像表示部（５）が、前記機器本体（２）の側を向いて使用者が観察できない向きと、前記機器本体（２）と反対側を向いて使用者が観察できる向きと、それぞれに相当する向きを取りうるように、前記回転軸（Ａ）に直行する回転軸（Ｂ）と、
前記回転軸（Ａ）に関して、前記筐体（３）は全開相当か否かを検知する開き角度検知手段（４ａ）と、
前記機器本体（２）に対して前記筐体（３）が閉じた状態にあるときに、前記回転軸（Ｂ）に関して、前記筐体（３）は使用者が観察できる向きに相当する向きか否かを検知する回転角度検知手段（４ｂ）と、
を有し、
前記機器本体（２）に対して前記筐体（３）を閉状態とした際に、前記機器本体（２）の前記筐体（３）との対向面（８ａ）は導電性の材料により形成され、
前記演算部（１１）または前記第２の制御部（１６）は、前記タッチパネル（６）が検出した静電容量Ｃに関して、第１の閾値Ｃ１と該第１の閾値Ｃ１より小さい第２の閾値Ｃ２と、該第１の閾値および第２の閾値Ｃ２の静電容量を検出した面積Ｓ１およびＳ２についての第３の閾値Ｓと、
を有し、
さらに、前記開き角度検知手段（４ａ）が、前記筐体（３）は全開相当でないことを検知していて、前記回転角度検知手段（４ｂ）が、前記筐体（３）は使用者が観察できる向きに相当する向きでないことを検知している場合、
検知静電容量Ｃが前記第１の閾値Ｃ１より大きく、検知面積Ｓ１が前記第３の閾値Ｓより小さい場合、前記演算部（１１）は、検出されたタッチに応じた動作を行わせ、
検知静電容量Ｃが前記第１の閾値Ｃ１と前記第２の閾値Ｃ２の間であって、検知面積Ｓ２が前記第３の閾値Ｓより大きい場合、前記演算部（１１）は、前記第１の制御部（１５）に、前記画像表示部（５）の表示を消灯させることを特徴とする電子機器（１）。
【請求項７】
検知静電容量Ｃが前記第１の閾値Ｃ１と前記第２の閾値Ｃ２の間であって、検知面積Ｓ２が前記第３の閾値Ｓより大きい場合、前記演算部（１１）は、前記第２の制御部（１６）に、前記タッチパネル（６）の検出動作を停止させる、または間欠動作させることを特徴とする請求項６に記載の電子機器（１）。
【請求項８】
検知静電容量Ｃが前記第１の閾値Ｃ１より大きく、検知面積Ｓ１が前記第３の閾値Ｓより大きい場合、前記演算部（１１）は、前記第１の制御部（１５）に、前記画像表示部（５）の表示を消灯させることを特徴とする請求項６又は請求項７に記載の電子機器（１）。
【請求項９】
検知静電容量Ｃが前記第１の閾値Ｃ１より大きく、検知面積Ｓ１が前記第３の閾値Ｓより大きい場合、前記演算部（１１）は、前記第２の制御部（１６）に、前記タッチパネル（６）の検出動作を停止させる、または間欠動作させることを特徴とする請求項８に記載の電子機器（１）。
【請求項１０】
検知静電容量Ｃが前記第１の閾値Ｃ１と前記第２の閾値Ｃ２の間であって、検知面積Ｓ２が前記第３の閾値Ｓより小さい場合、前記演算部（１１）は、前記タッチパネル（６）によるタッチ検出結果を無視することを特徴とする、請求項６乃至請求項９の何れか一項に記載の電子機器（１）。
【請求項１１】
前記演算部（１１）は、前記回転角度検知手段（４ｂ）の検知結果によらず、前記開き角度検知手段（４ａ）が、前記筐体（３）は全開相当であることを検知している場合、
検知静電容量Ｃが第２の閾値Ｃ２より大きく、検知面積Ｓ２が前記第３の閾値Ｓより大きければ、前記演算部（１１）は、前記第１の制御部（１５）に、前記画像表示部（５）の表示を消灯させることを特徴とする請求項６乃至請求項１０び何れか一項に記載の電子機器（１）。
【請求項１２】
前記演算部（１１）は、前記回転角度検知手段（４ｂ）の検知結果によらず、前記開き角度検知手段（４ａ）が、前記筐体（３）は全開相当であることを検知している場合、
検知静電容量Ｃが第２の閾値Ｃ２より大きく、検知面積Ｓ２が前記第３の閾値Ｓより大きければ、前記演算部（１１）は、前記第２の制御部（１６）に、前記タッチパネル（６）の検出動作を停止させる、または間欠動作させることを特徴とする請求項１１に記載の電子機器（１）。
【請求項１３】
前記演算部（１１）は、前記開き角度検知手段（４ａ）の検知結果によらず、前記回転角度検知手段（４ｂ）が、前記筐体（３）は使用者が観察できる向きに相当する向きであることを検知している場合、
検知静電容量Ｃが第２の閾値Ｃ２より大きく、検知面積Ｓ２が前記第３の閾値Ｓより大きければ、前記演算部（１１）は、前記第１の制御部（１５）に、前記画像表示部（５）の表示を消灯させることを特徴とする請求項６乃至請求項１２の何れか一項に記載の電子機器（１）。
【請求項１４】
前記演算部（１１）は、前記開き角度検知手段（４ａ）の検知結果によらず、前記回転角度検知手段（４ｂ）が、前記筐体（３）は使用者が観察できる向きに相当する向きであることを検知している場合、
検知静電容量Ｃが第２の閾値Ｃ２より大きく、検知面積Ｓ２が前記第３の閾値Ｓより大きければ、前記演算部（１１）は、前記第２の制御部（１６）に、前記タッチパネル（６）の検出動作を停止させる、または間欠動作させることを特徴とする請求項１３に記載の電子機器（１）。
【発明の詳細な説明】
【技術分野】
【０００１】
本発明は、機器本体が、液晶表示装置とタッチパネルとを備えた筐体を、ヒンジ機構によって開閉可能に支持する電子機器に関する。より詳しくは、機器本体に対する筐体の開閉状態を、タッチパネルを用いて検知する構成に関する。
【背景技術】
【０００２】
従来、デジタルカメラなどの電子機器において、液晶表示装置とタッチパネルを備えたバリアングルユニットを、ヒンジ機構で機器本体に対して回動可能に支持する構成が知られている。
【０００３】
このような電子機器では、バリアングルユニットが機器本体に対して開状態か閉状態かに応じて液晶表示装置の表示制御やタッチパネルの制御を切替えるために、機器本体に対するバリアングルユニットの開閉状態を検知する構成を有しているものがある。特許文献１には、バリアングルユニットに磁気発生手段を設けるとともに、機器本体に磁気検知手段を設け、磁気検知手段の結果に応じて、機器本体に対するバリアングルユニットの開閉状態を検知する技術が開示されている。特許文献２には、機器本体に突起形状を設け、タッチパネル側には、突起形状によるタッチ入力を検知する突起検知部を設け、突起検出部の検知結果に応じて機器本体に対するバリアングルユニットの開閉状態を検知する技術が開示されている。
【０００４】
一方、タッチパネルを用いた電子機器において、ユーザーによる操作ではない、何らかのタッチ（例えば首からぶら下げられたカメラのタッチパネルが人体に接触することによるタッチ）を検知してしまうことによる誤動作を防ぐ提案もなされている。特許文献３には、所定の面積以上の面積に対しての入力を検出したときには、タッチパネルの入力を無効とする入力制限部を備える技術が開示されている。
【先行技術文献】
【特許文献】
【０００５】
【特許文献１】特開２０１２−１９２７９号公報
【特許文献２】特開２００６−７２８７１号公報
【特許文献２】特開２０１１−２８９１号公報
【発明の概要】
【発明が解決しようとする課題】
【０００６】
しかしながら、上記の特許文献１に開示された従来技術では、機器本体に対するバリアングルユニットの開閉状態を検知するために、磁気発生手段として磁石や、磁気検知手段としてホールＩＣなどの開閉検知専用の部品を設ける必要がある。そのため、電子機器の重量面やコスト面に影響を与える可能性がある。また、機器本体が導電性の材料によって形成される場合、バリアングルユニットを閉状態とした時に、タッチ入力検知の閾値設定によっては、タッチパネルが機器本体と近接することによる静電容量変化を検出してしまう。この時、開閉状態検知とタッチ入力検知が独立した上述の特許文献１の構成では、バリアングル閉動作の際に、閉検知よりも先に機器本体との近接によるタッチ入力検知がなされる可能性がある。つまり、バリアングルユニットの閉動作をしているのにもかかわらずタッチ入力がされたものと判断し、電子機器が誤動作してしまう可能性がある。
【０００７】
上記の特許文献２に開示された従来技術では、機器本体に突起形状を設ける必要があり、バリアングル閉動作をする際に突起形状とタッチパネルが当接することで、タッチパネルを傷つけてしまう恐れがある。
【０００８】
上記の特許文献３に開示された従来技術では、バリアングルユニットの開閉状態を検知することには言及していないのでバリアングルユニットの開閉状態を検知するためには、上述の特許文献１または２のような技術を用いる必要がある。
【０００９】
そこで、本発明の目的は、閉じ検知専用の部品や機器本体にタッチパネルに接触する突起形状を設けることなく、かつ電子機器の誤動作の恐れもなく、バリアングルユニットが閉じられたことの検知を正しく行うことと、タッチパネルのタッチ検出がユーザーのタッチ操作によるものか否かの判別を正しく行うことを両立することにある。
【課題を解決するための手段】
【００１０】
上記の目的を達成するために、本発明に係る電子機器は、
少なくとも、機器本体（２）と、筐体（３）と、前記機器本体（２）に対して前記筐体（３）を開閉可能に支持するヒンジ機構（４）と、
前記筐体（３）に設けられた画像表示部（５）と、該画像表示部（５）に重畳して設けられた静電容量式のタッチパネル（６）と、前記画像表示部（５）を制御する第１の制御部（１５）と、前記タッチパネル（６）を制御する第２の制御部（１６）と、前記第１の制御部（１５）と前記第２の制御部（１６）とが接続され、電子機器（１）の動作を制御する演算部（１１）と、
を有し、
前記機器本体（２）に対して前記筐体（３）を閉状態とした際に、前記機器本体（２）の前記筐体（３）との対向面（８ａ）は導電性の材料により形成され、
前記演算部（１１）または前記第２の制御部（１６）は、前記タッチパネル（６）が検出した静電容量Ｃに関して、第１の閾値Ｃ１と該第１の閾値Ｃ１より小さい第２の閾値Ｃ２と、該第１および第２の閾値Ｃ２の静電容量を検出した面積Ｓ１およびＳ２についての第３の閾値Ｓと、
を有し、
検知静電容量Ｃが前記第１の閾値Ｃ１より大きく、検知面積Ｓ１が前記第３の閾値Ｓより小さい場合、前記演算部（１１）は、検出されたタッチに応じた動作を行わせ、
検知静電容量Ｃが前記第１の閾値Ｃ１と前記第２の閾値Ｃ２の間であって、検知面積Ｓ２が前記第３の閾値Ｓより大きい場合、前記演算部（１１）は、前記第１の制御部（１５）に、前記画像表示部（５）の表示を消灯させることを特徴とする。
【発明の効果】
【００１１】
本発明に係る電子機器によれば、閉じ検知専用の部品や機器本体にタッチパネルに接触する突起形状を設けることなく、かつ電子機器の誤動作の恐れもなく、バリアングルユニットが閉じられたことの検知を正しく行うことと、タッチパネルのタッチ検出がユーザーのタッチ操作によるものか否かの判別を正しく行うことを両立することができる。
【図面の簡単な説明】
【００１２】
【図１】本発明に係るカメラの外観斜視図
【図２】本発明に係るバリアングルユニットの回動動作を示す図
【図３】本発明に係るカメラのブロック図
【図４】本発明に係る静電容量Ｃの第１の閾値Ｃ１について示す図
【図５】本発明に係る静電容量Ｃの第２の閾値Ｃ２について示す図
【図６】本発明に係る「伏せ閉じ状態」ついて示す図
【図７】本発明の第１の実施例に係るカメラの動作一覧を示す図
【図８】バリアングルユニットの状態と検出スイッチ信号波形の関係説明図
【図９】本発明の第２の実施例に係るカメラの動作一覧を示す図
【発明を実施するための形態】
【００１３】
以下、本発明を実施するための形態について、図面を参照しながら説明する。
【００１４】
［第１の実施形態］
まずは、本発明を適用した機器本体としてのカメラ１の構成について説明する。
【００１５】
図１は、カメラ１を使用者側から見た斜視図である。カメラ本体２は撮像素子１０（図３参照）を有するデジタルカメラである。カメラ本体２の背面には、撮像素子１０によって取得される画像や、各種設定画面等を表示する画像表示部としての液晶表示装置（以下、ＴＦＴと称する）５を有した筐体としてのバリアングルユニット３が設けられている。ＴＦＴ５の表面にはタッチパネル６が設けられており、ユーザーのタッチ入力操作によってＴＦＴ５の表示切り換えや、カメラ１の撮影動作や各種設定変更などを行うことができる。
【００１６】
タッチパネル６は投影型静電容量方式であり、導体たる指９の近接および接触により、タッチパネル６内の電極（不図示）間の静電容量が大きくなった箇所を特定して、ユーザーがどの部分にタッチ入力操作をしたかを検出できるものである。検出される静電容量に対して、入力と非入力の境界を規定する閾値が設定してある。静電容量に対する閾値の詳細に関しては後述する。７は入力操作部であり、タッチパネル６と同様にカメラ１に対する各種設定変更やカメラ電源のＯＮ／ＯＦＦや、表示の点灯開始といった入力操作を行う。８はカメラ本体２の外装部品となる背面カバーであり、導電性の材料にて形成され、バリアングルユニット３が収納される対向面としての凹部（８ａ）が設けられている。バリアングルユニット３はヒンジ機構４によってカメラ本体２に対して回動可能に支持されており、カメラ本体２に対する姿勢を変更することが可能である。
【００１７】
図２はバリアングルユニット３の回動動作と姿勢について表した図であり、図２を用いてバリアングルユニット３の回動動作について説明する。
【００１８】
ヒンジ機構４は２軸ヒンジ機構４であって、回転軸Ａと回転軸Ｂを有し、回転軸Ａを中心にバリアングルユニット３を回動させることで、バリアングルユニット３をカメラ本体２に対して開閉することができる。図２（ａ）は、バリアングルユニット３が閉状態となっている姿勢を示している。バリアングルユニット３が約９０°以上開いていれば、回転軸Ｂを中心にバリアングルユニット３を回動させることで、バリアングルユニット３の画像表示面を上下方向に回転させることができる。図２（ｂ）はバリアングルユニット３が約１８０°開いた状態となっている姿勢を示している。さらに、図２（ｂ）の状態から回転軸Ｂを中心にバリアングルユニット３を１８０°回転させると、図２（ｃ）のようにＴＦＴ５およびタッチパネル６をカメラ１の被写体側に向けることもできる。さらに、図２（ｃ）の状態から、回転軸Ａを中心にバリアングルユニット３を閉じれば、図１（ｄ）のバリアングルユニット３が閉じた状態になる。つまりバリアングルユニット３は、カメラ本体２に対して閉じた状態にあるときに、ＴＦＴ５およびタッチパネル６が、図１（ａ）のように背面カバー８の側を向いた状態と、図２（ｄ）のようにユーザーの側を向いた状態のいずれをも取りうる。
【００１９】
これらの区別のため、以下、図２（ａ）で示すようにバリアングルユニット３が画像表示面をカメラ本体２側に向けてカメラ本体２の背面カバー８に収納された状態を「伏せ閉じ状態」とする。図２（ｄ）で示すようにバリアングルユニット３が画像表示面をユーザー側に向けてカメラ本体２の背面カバー８に収納された状態を「仰向け閉じ状態」とする。特に図２（ａ）の状態において、タッチパネル６が凹部８ａと接触して傷付くことがないように、またタッチパネル６と凹部６ａとの間に所定の隙間が生じるように、凹部８ａの端付近でタッチパネル６の外側に対応する位置に凸部８ｂが形成されている。また、回転軸Ａを中心に回動させてバリアングルユニット３とカメラ本体２の角度を変化させることを開閉動作とし、開状態から閉状態へと動作させることを閉動作、閉状態から開状態へと動作させることを開動作とする。さらに、回転軸Ｂを中心にバリアングルユニット３を回動させることを回転動作とする。
【００２０】
本実施例に係るカメラ１の主要な構成について説明する。
【００２１】
図３は本実施例のカメラ１の主要な構成を示すブロック図である。
【００２２】
前述した撮像素子１０で得られた画像信号は演算部としてのマイクロコンピュータ１１（以下、ＭＰＵ１１と称する）で処理される。取得された画像信号は、第１の制御部としての画像表示制御回路１５によってＴＦＴ５に表示される。また、画像表示制御回路１５は、ＭＰＵ１１から得られるバリアングルユニット３の開閉状態情報に応じて、ＴＦＴ５の表示の点灯／消灯を制御する。ＭＰＵ１１のバリアングルユニット３の開閉状態情報の取得方法については後述する。
【００２３】
１６は第２の制御部としての入力制御回路１６であり、タッチパネル６や入力操作部７による入力をＭＰＵ１１に伝達する。また、ＭＰＵ１１から得られるバリアングルユニット３の開閉状態情報に応じて、タッチパネル６のＯＮ／ＯＦＦ等を制御する。タッチパネル６のＯＮ／ＯＦＦとは、静電容量の検出によるタッチ入力検知を動作させたり停止させたりすることである。
【００２４】
次にタッチパネル６の静電容量の閾値設定について説明する。本実施例で説明するタッチパネル６は投影型静電容量方式である。マトリクス上に配置された電極センサ（不図示）に、ユーザーが所望の入力操作を行うために導体たる指９を接触させると、その部分の電極センサ間の静電容量が大きくなることを検知して、タッチ操作及びタッチ座標を取得する。つまり、指９の接触に伴う静電容量変化に対して閾値が設定してあり、静電容量Ｃが閾値を超えた場合にタッチ操作がされたと見なすものである。
【００２５】
この閾値について図４を用いて詳しく説明する。図４（ａ）は、第１の閾値Ｃ１に対応したタッチパネル６の入力領域と非入力領域の境界の関係について示した図である。図４（ｂ）は、図４（ａ）で示すようにタッチパネル６と指９が接触した状態の静電容量Ｃと第１の閾値Ｃ１の関係を示した図である。第１の閾値Ｃ１は、図４（ａ）で示すように、タッチパネル６と指９が接触することで入力、接触していないと入力なし、との判断が可能なような静電容量値とされている。
【００２６】
本発明の特徴の１つは、この閾値に、さらに第２の閾値Ｃ２という２つめの閾値が設定されていることである。
【００２７】
第２の閾値Ｃ２について図５を用いて詳しく説明する。図５（ａ）は、第２の閾値Ｃ２に対応したタッチパネル６の入力領域と非入力領域の境界の関係について示した図である。図５（ｂ）は、図５（ａ）で示すようにタッチパネル６と指９が所定距離Ｄより近接した状態での静電容量Ｃと第２の閾値Ｃ２の関係を示した図である。第２の閾値Ｃ２は、図５（ａ）で示すように、タッチパネル６と指９が所定距離Ｄより近接しているか否かの判断が可能なような静電容量値とされている。
【００２８】
第１の閾値Ｃ１と第２の閾値Ｃ２の関係については、図４（ｂ）と図５（ｂ）で示すように、第２の閾値Ｃ２は第１の閾値Ｃ１よりも小さい値に設定されている。より詳しくは、第１の閾値Ｃ１の入力領域と非入力領域の境界はタッチパネル６の表面にあり、第２の閾値Ｃ２の入力領域と非入力領域の境界はタッチパネル６表面から所定距離Ｄ離れた位置になるように設定されている。
【００２９】
本発明の他の特徴は、入力制御回路１６が、静電容量Ｃが第１の閾値Ｃ１より大きい範囲の面積Ｓ１、および静電容量Ｃが第２の閾値Ｃ２より大きい範囲の面積Ｓ２を取得し、その大小を第三の閾値Ｓにより判断することである。取得された面積Ｓ１、Ｓ２は、第３の閾値Ｓ未満であれば小さい（狭い）と判断され、第３の閾値Ｓ以上であれば大きい（広い）と判断される。第３の閾値Ｓは、図４および図５に示すように、ユーザーが指先でタッチした時の面積Ｓ１およびＳ２を上回り、「狭い」と判断できるように設定される。
以上のように構成されたカメラ１の動作について、以下説明する。
【００３０】
まず、ユーザーがタッチパネル６に指９でタッチ入力操作をする、通常の使用について図４を用いて説明する。指９がタッチパネル６に接触している位置において、静電容量Ｃは第１の閾値Ｃ１を超えて大きくなり、その面積Ｓ１は、第３の閾値Ｓより小さい。よって、ＭＰＵ１１はユーザーが指９でタッチパネル６をタッチ操作したものと判断し、カメラ１に対してタッチ操作に応じた動作をさせる。
【００３１】
静電容量Ｃが第１の閾値Ｃ１と第２の閾値Ｃ２の間で、その面積Ｓ２が第三の閾値Ｓより小さい場合、ユーザーは指９をタッチパネル６に接触させてはいない。またはユーザーの操作によらない何らかの物体が近接した状態である（図５参照）。よってＭＰＵ１１はユーザーのタッチ操作ではないと判断し、カメラ１に対して特段の指示を行わない。
【００３２】
静電容量Ｃが第１の閾値Ｃ１を超えて大きく、その面積Ｓ１が第三の閾値Ｓより大きい場合、ユーザーの指９ではない、何らかの大きな物体、例えばユーザーの顔や腕、ユーザーが身に着けている導電性繊維衣服などが接触している状態である。よってＭＰＵ１１はユーザーのタッチ操作ではないと判断し、カメラ１に対して特段の指示を行わない。または、ユーザーが操作をしていないことから、画像表示制御回路１５にＴＦＴ５を消灯させ、タッチパネル６のタッチ検出動作をＯＦＦさせたり間欠動作にさせてもよい。
【００３３】
次に、本発明の最も特徴的な動作、すなわちバリアングルユニット３が「伏せ閉じ状態」にされたときについて、図６を用いて説明する。このときバリアングルユニット３は、図６（ａ）のように、凸部８ｂにより凹部８ａとタッチパネル６とが所定の間隙ｄ（所定距離Ｄより小さい）をもって対向した閉状態とされている。凹部８ａを形成している背面カバー８は先述のように導電性の材料で成型されているので、この「伏せ閉じ状態」に於いて、タッチパネル６には背面カバー８の近接による静電容量の変化が検出される。しかし、接触はしていないので、先述のような指９をタッチパネル６に接触させた時より静電容量の変化量は小さく、図６（ｂ）のように、第２の閾値Ｃ２は超えるが第１の閾値Ｃ１は超えない程度である。また、背面カバー８の凹部８ａは平面となっているため、静電容量Ｃが第２の閾値Ｃ２を超える面積Ｓ２が、第３の閾値Ｓを超えて広くなっている。よって、ＭＰＵ１１はバリアングルユニット３が「伏せ閉じ状態」にされたものと判断し、画像表示制御回路１５にＴＦＴ５を消灯させる。このときタッチパネル６のタッチ検出動作をＯＦＦさせたり間欠動作にさせてもよい。図７は、以上に説明したカメラ１の、静電容量Ｃと検知面積Ｓ１およびＳ２をパラメータとした動作一覧を示す図である。
【００３４】
以上説明したように、本実施形態によれば、開閉検知専用の部品や突起形状を設けることなく、バリアングルユニット３の開閉状態を検知可能な電子機器を提供することができる。さらには、これを、ユーザーによる所定操作以外を検知、例えば首からぶら下げられたカメラのタッチパネルが人体を検知してしまうことによる誤動作を防ぐことと両立することができる。
【００３５】
次に本発明の第２の実施形態に関して説明する。なお、先述の第１の実施形態と同一であることについては、説明を省略する（図１〜図６に関しては同一である）。
【００３６】
本実施形態のカメラ１は、ヒンジ機構４に、回転軸Ａと回転軸Ｂそれぞれにおけるバリアングルユニット３の回転位置検出スイッチを有している（不図示）。回転軸Ａに関するスイッチは開き完検出スイッチ、回転軸Ｂに関するスイッチは回転完スイッチである。図８は、バリアングルユニット３が「伏せ閉じ状態」から「仰向け閉じ状態」まで遷移する際の、開き完検出スイッチおよび回転完スイッチの信号波形の関係を示した図である。最初の回転軸Ａを中心とする開動作において、パリアングルユニット３が全開する直前に開き完検出スイッチがＯＦＦ→ＯＮと切り替わる。回転軸Ｂを中心とする回転動作において、バリアングルユニット３が回転しきる直前に回転完検出スイッチがＯＦＦ→ＯＮと切り替わる。回転軸Ａを中心とする閉動作において、パリアングルユニット３が全開から閉じられ始めた直後に開き完検出スイッチがＯＦＦ→ＯＮと切り替わり、そのまま閉動作が完了して「仰向け閉じ状態」となる。
【００３７】
本発明の特徴は、先述の第１の実施形態の特徴に加え、バリアングルユニット３の開閉および回転状態の検知結果を、以下のごとくバリアングルユニット３の閉じ検知や、タッチパネル６のタッチ検出結果に使用することである。
【００３８】
つまり、バリアングルユニット３が「伏せ閉じ状態」となりうるのは、開き完検出スイッチがＯＦＦ、かつ回転完スイッチがＯＦＦのときのみである。逆に、開き完検出スイッチと回転完スイッチの少なくともいずれかがＯＮであるときは、バリアングルユニット３は「伏せ閉じ状態」となりえない。このとき、静電容量の変化を検知し、検知面積Ｓ１およびＳ２が閾値Ｓより大きければ、「伏せ閉じ状態」ではなく、ユーザーのタッチ操作でもないと判断できる。よって、ＭＰＵ１１はカメラ１に対して特段の指示を行わない。または、ユーザーが操作をしていないことから、画像表示制御回路１５にＴＦＴ５を消灯させ、タッチパネル６のタッチ検出動作をＯＦＦさせたり間欠動作にさせてもよい。開き完検出スイッチと回転完スイッチが共にＯＦＦの時に静電容量の変化を検知した場合は、ＭＰＵ１１は先述の第１の実施形態と同様の判断をすればよい。
【００３９】
図９は、以上に説明したカメラ１の、静電容量Ｃと検知面積Ｓ１およびＳ２をパラメータとした動作一覧を示す図である。
【００４０】
以上説明したように、本実施形態によれば、開閉検知専用の部品や突起形状を設けることなく、バリアングルユニット３の開閉状態を検知可能な電子機器を提供することができる。さらには、これを、ユーザーによる所定操作以外を検知、例えば首からぶら下げられたカメラのタッチパネルが人体を検知してしまうことによる誤動作を防ぐことと両立することができる。
【００４１】
上記２つの実施形態により本発明の説明をしたが、以下のような変更が可能であることは言うまでもない。
【００４２】
静電容量Ｃの閾値を、第１の閾値Ｃ１と第２の閾値Ｃ２の２種類としているが、３種類以上であっても構わない。また、静電容量の検知面積Ｓ１およびＳ２の閾値を、第３の閾値Ｓの１種類としているが、２種類以上であっても構わない。
【００４３】
また、第１の閾値Ｃ１はタッチパネル６と指９が接触した際に入力とするように第１の閾値Ｃ１を設定したが、第２の閾値Ｃ２が第１の閾値Ｃ１よりも小さければ、第１の閾値Ｃ１はタッチパネル６と指９が接触せずに入力とする位置であっても構わない。こうすることにより、閾値を適切に設定すれば、手袋をしたままでもタッチ入力操作が可能な、手袋モードを実現することもできる。
【００４４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４５】
１  カメラ、２  カメラ本体、３  バリアングルユニット、４  ヒンジ機構、
５  画像表示部（ＴＦＴ）、６  タッチパネル、７  入力操作部、
８  背面外装カバー、１１  マイクロコンピュータ（ＭＰＵ）、
１５  画像表示制御回路、１６  タッチパネル制御回路
【図１】
2019075636.tif 000003
【図２】
2019075636.tif 000004
【図３】
2019075636.tif 000005
【図４】
2019075636.tif 000006
【図５】
2019075636.tif 000007
【図６】
2019075636.tif 000008
【図７】
2019075636.tif 000009
【図８】
2019075636.tif 000010
【図９】
2019075636.tif 000011